【事件の表示】
　特願２００９−　５４２１５「画像表示装置、画像表示観察システム及び画像表示方法」拒絶査定不服審判事件〔平成２２年　９月２４日出願公開、特開２０１０−２１０７１２〕について、次のとおり審決する。
【結　論】
　本件審判の請求は、成り立たない。
【理　由】
１　手続の経緯
　平成２１年　３月　６日　特許出願
　平成２３年　２月１６日　拒絶理由通知（同年２月２２日発送）
　平成２３年　４月２５日　意見書・手続補正書
　平成２４年　３月２９日　拒絶理由通知（最後）（同年４月３日発送）
　平成２４年　６月　４日　意見書・手続補正書
　平成２５年　３月１９日　平成２４年６月４日付け手続補正の却下の決定
　　　　　　　　　　　　　・拒絶査定（同年３月２６日送達）
　平成２５年　６月２６日　本件審判請求・手続補正書
　平成２５年１１月１１日　審尋（同年１１月１２日発送）
　平成２６年　１月　８日　回答書
　平成２６年　４月　３日　平成２５年６月２６日付け手続補正の却下の決
　　　　　　　　　　　　　定（同年４月１５日送達）・拒絶理由通知（同
　　　　　　　　　　　　　年４月８日発送）
　平成２６年　６月　４日　意見書・手続補正書
　平成２６年　６月２０日　拒絶理由通知（同年６月２４日発送）
　平成２６年　８月２２日　意見書・手続補正書
　平成２６年１０月２４日　拒絶理由通知（最後）（同年１０月２８日発送
　　　　　　　　　　　　　。以下「当審拒絶理由通知」という。）
　平成２６年１２月１５日　意見書・手続補正書（明細書についてする補正
　　　　　　　　　　　　　である。）
　
２　本願発明
　本願の請求項に係る発明は、平成２６年８月２２日付け手続補正により補正された特許請求の範囲の請求項１乃至８に記載された事項により特定されるとおりのものであるところ、請求項１の記載は以下のとおりである。
「画像信号の入力を受け、右目用画像及び左目用画像のそれぞれを少なくとも２回連続して表示させるための信号へ変換する信号制御部と、
　前記信号制御部において変換された信号が入力され、２回以上連続する前記右目用画像と２回以上連続する前記左目用画像とを交互に表示する表示パネルと、
　２回以上連続する前記右目用画像又は前記左目用画像において、前記２回以上連続する前記右目用画像又は前記左目用画像のうち先に前記表示パネルに表示された画像の輝度に基づいて後に前記表示パネルに表示される画像の輝度を補正する輝度補正部と、
　を備える、画像表示装置。」（以下「本願発明」という。）
　
３　当審拒絶理由通知の概要
　当審拒絶理由通知で通知した拒絶の理由の概要は、
「本願の発明の詳細な説明の記載は、当業者が、請求項１に係る発明（特に、「前記２回以上連続する前記右目用画像又は前記左目用画像のうち先に前記表示パネルに表示された画像の輝度に基づいて後に前記表示パネルに表示される画像の輝度を補正する輝度補正部」）を実施することができる程度に明確且つ十分に記載したものでない。 
　したがって、本願の発明の詳細な説明の記載は、特許法第３６条第４項第１号に規定する要件を満たしていない。」
というものである。
　
４　当審の判断
（１）本願の発明の詳細な説明の記載
　本願発明が備える「前記２回以上連続する前記右目用画像又は前記左目用画像のうち先に前記表示パネルに表示された画像の輝度に基づいて後に前記表示パネルに表示される画像の輝度を補正する輝度補正部」に関し、本願の発明の詳細な説明には、以下の記載がある（当審注：下線は、当審が付加した。）。
　
ア「【００２５】
  ［（２）画像表示装置の構成例］
  次に、画像表示装置１００の構成について説明する。図２は、画像表示装置１００の構成を示すブロック図である。図２に示すように、画像表示装置１００は、左右映像信号制御部１２０、シャッター制御部１２２、エミッタ（発光素子）１２４、タイミング制御部１２６、ゲートドライバ１２８、データドライバ１３０、液晶表示パネル１３２、バックライト１３４を備える。
…
【００２７】
  左右映像信号制御部１２０には、右目用画像Ｒ及び左目用画像Ｌに対応する左右映像信号が入力される。
左右映像信号制御部１２０は、液晶表示パネル１３４に右目用画像Ｒと左目用画像Ｌを交互に表示させるため、左右映像信号を交互に出力する。また、左右映像信号制御部１２０は、入力された左右映像信号に基づいて、後述する２度書き込みを行うため、右目用映像信号と左目用映像信号のそれぞれについて、同じ１フレームの信号が２つ連続するように変換を行う
【００２８】
  
タイミング制御部１２６には、左右映像信号制御部１２０で変換された右目用映像信号及び左目用映像信号が入力される。タイミング制御部１２６は、入力された右目用映像信号及び左目用映像信号を液晶表示パネル１３２へ入力するための信号に変換し、ゲートドライバ１２８およびデータドライバ１３０の動作に用いられるパルス信号を生成する
【００２９】
  タイミング制御部１２６で変換された信号は、ゲートドライバ１２８とデータドライバ１３０のそれぞれに入力される。
ゲートドライバ１２８およびデータドライバ１３０は、タイミング制御部１２６で生成されたパルス信号を受け、入力された信号に基づいて液晶表示パネル１３２の各画素を発光させる。これにより、液晶表示パネル１３２に映像が表示される
…」　
　
イ「【００４１】
  ［（４）本実施形態による２度書き込みの例］
  上述した液晶の応答速度の不足に起因するクロストークの発生、及び輝度不足等を解消するため、本実施形態では、液晶パネルの駆動周波数を高め、左右の画像の１フレームを液晶表示パネル１３２に２度表示させる（書き込む）という手法を採用している。
【００４２】
  図４は、本実施形態による２度書き込みの原理と、液晶シャッター２００ａ，２００ｂの開閉を示すタイミングチャートであって、右目用画像Ｒと左目用画像Ｌのそれぞれを２４０［Ｈｚ］の駆動周波数で表示した場合を示している。図４において、１回の書き込みにより右目用画像Ｒ又は左目用画像Ｌが表示される時間は、１／２４０［Ｈｚ］＝４．２［ｍｓ］である。
【００４３】
  図４（Ａ）は、図３（Ａ）と同様に、液晶表示パネル１３２の下辺（Ｙ＝０）から上辺（Ｙ＝Ｙ０）に至る縦方向の各位置において、時間とともに輝度が変化している様子を示している。また、図４（Ｂ）は、液晶表示パネル１３２のバックライト１３４が発光している様子を示している。図４（Ｂ）に示すように、本実施形態では、バックライト１３４は常時点灯している。
【００４４】
  図４（Ｃ）は、図３（Ｂ）と同様に、液晶シャッター２００ａ，２００ｂの開閉タイミングを示している。また、図４（Ｄ）は、液晶シャッター２００ａ，２００ｂの開閉により、鑑賞用メガネ２００を掛けたユーザの右目に右目用画像Ｒが入射し、左目に左目用画像Ｌが入射している状態を示している。
【００４５】
  図４（Ａ）に示すように、画面上辺（Ｙ＝Ｙ０）では、時刻ｔ２０からｔ２１までの４．２［ｍｓ］間に左目用画像Ｌが書き込まれ、続けて時刻ｔ２１からのｔ２２までの４．２［ｍｓ］間に再び左目用画像Ｌが書き込まれる。ここで、時刻ｔ２０からｔ２１の間に書き込まれる左目用画像Ｌと時刻ｔ２１からのｔ２２の間に書き込まれる左目用画像Ｌは、基本的には同一の画像であるが、
オーバードライブ処理などの調整に起因して相違するものであってもよい。オーバードライブ等の処理としては、例えば、２回目の書き込みにおいて実際の信号レベルと１回目の映像信号レベル（ドライブ量）との比較を行い、１回目の書き込みでは到達しなかった輝度値の補正を行う処理が挙げられる。
【００４６】
  そして、左目用画像Ｌを２回書き込んだ後に右目用画像Ｒが書き込まれる。右目用画像Ｒについても、画面上辺（Ｙ＝Ｙ０）では、時刻ｔ２２からｔ２３までの４．２［ｍｓ］間に右目用画像Ｒが書き込まれ、続けて時刻ｔ２３からのｔ２４までの４．２［ｍｓ］間に再び右目用画像Ｒが書き込まれる。時刻ｔ２２からｔ２３の間に書き込まれる右目用画像Ｒと時刻ｔ２３からのｔ２４の間に書き込まれる右目用画像Ｒは、基本的には同一の画像であるが、オーバードライブ処理などの調整に起因して相違するものであってもよい。また、１回目に書き込まれる右目用画像Ｒと２回目に書き込まれる右目用画像Ｒとの間、または左目用画像Ｌと右目用画像Ｒの間に所定のブランク期間を設けても良い。
【００４７】
  一般に液晶表示装置は、その応答時間が比較的遅いため、書き込み時間が短時間であると、各画素が所望の輝度に達しない。このため、駆動周波数を高くして右目用画像Ｒと左目用画像Ｌを交互に書き込むと、１回の書き込み時間（＝４．２ｍｓ）が短くなり、１回目の書き込み後にしか所望の輝度に到達しないため、画面上辺と下辺の両方が所望の輝度に達しているタイミングが存在しない。
【００４８】
  本実施形態では、右目用画像Ｒと左目用画像Ｌをそれぞれ２度に渡って書き込みしているため、２回目の書き込み時には、１回目に既に同じ画像を書き込んでいることから、所望の輝度を保持することができ、従って、画面の上辺と下辺の両方で所望の輝度に達した状態を実現できる。
【００４９】
  そして、図４（Ａ）において、時刻ｔ２２の時点では、画面上辺から画面下辺に至る全域において、左目用画像Ｌの輝度は所望のレベルに到達している。このため、図４（Ｃ）及び図４（Ｄ）に示すように、時刻ｔ２２を中心とする所定の期間（例えば２．１ｍｓ）だけ液晶シャッター２００ｂを開口させることで、ユーザの左目には左目用画像Ｌのみが視認され、クロストークの発生を確実に抑えることができる。なお、クロストークと輝度はトレードオフの関係にあるので、どちらを優先するかによってシャッターオープン期間は適宜設定できる。
【００５０】
  同様に、右目用画像Ｒにおいても、図４（Ａ）に示す時刻ｔ２４の時点では、画面上辺から画面下辺に至る全域において、右目用画像Ｒの輝度は所望のレベルに到達している。このため、図４（Ｃ）及び図４（Ｄ）に示すように、時刻ｔ２４を中心とする所定の期間（例えば２．１ｍｓ）だけ液晶シャッター２００ａを開口させることで、ユーザの右目には右目用画像Ｒのみが視認され、クロストークの発生を確実に抑えることができる。
【００５１】
  上述のように、液晶の駆動周波数を高めると、１回目の書き込み時には、書き込み終了時に画面下部では所望の輝度に到達しないため、液晶表示パネル１３２の過渡応答中である１回目の書き込み時の少なくとも一部区間では、液晶シャッター２００ａ，２００ｂは閉じられる。より詳細には、右目用画像Ｒ又は左目用画像Ｌが表示されている約８．４ｍｓのうち、少なくとも５０％に相当する４．２ｍｓの区間では、液晶シャッター２００ａ，２００ｂは閉じられる。これにより、１回目の書き込みによる過渡応答中の映像がユーザに視認されることを回避できる。また、クロストークを抑えるため、液晶シャッター２００ａ，２００ｂの双方が閉じている区間が設けられる。
【００５２】
  本実施形態では、図４（Ｃ）に示すように、右目用の液晶シャッターＲ（液晶シャッター２００ａ）は、時刻ｔ２４を中心とする所定時間（２．１ｍｓ）の間だけ開かれる。また、左目用の液晶シャッターＬ（液晶シャッター２００ｂ）は、時刻ｔ２２，ｔ２６を中心とする所定時間（例えば２．１ｍｓ）の間だけ開かれる。
【００５３】
  時刻ｔ２４の時点では、画面下辺においては、右目用画像Ｒの２回目の書き込みが開始されており、画面上辺においては、右目用画像Ｒの２回目の書き込みが終了する。従って、時刻ｔ２４の時点で液晶シャッター２００ａを開くことによって、１回目の書き込みによる右目用画像Ｒがユーザの右目に視認されることがなく、画面下辺から上辺に至る全域において、２回目の書き込みによる右目用画像Ｒがユーザの右目に視認される。
【００５４】
  同様に、時刻ｔ２２，ｔ２６の時点では、画面下辺においては、左目用画像Ｌの２回目の書き込みが開始されており、画面上辺においては、左目用画像Ｌの２回目の書き込みが終了する。従って、時刻ｔ２２または時刻ｔ２６の時点で液晶シャッター２００ｂを開くことによって、１回目の書き込みによる左目用画像Ｌがユーザの左目に視認されることがない。これにより、画面下辺から上辺に至る全域において、２回目の書き込みによる左目用画像Ｌがユーザの左目に視認される。
【００５５】
  このように、１度目の書き込みで所望の輝度に到達し、２度目の書き込みでその輝度を保持することで、画面全体において所望の輝度に到達した映像をユーザに視認させることが可能となる。従って、図４（Ｃ）に示す時刻ｔ２２，ｔ２４，ｔ２６の時点において、必要最小限の所定時間（例えば２．１ｍｓ）のみ液晶シャッター２００ａ，２００ｂを開くことで、クロストークの発生を確実に抑えることが可能となる。特に、画面上辺において、右目用画像Ｒから左目用画像Ｌへ切り換わるタイミング、または左目用画像Ｌから右目用画像Ｒに切り換わるタイミングよりも以前に液晶シャッター２００ａ，２００ｂの開期間を設けることで、クロストークの発生を確実に抑止できる。
【００５６】
  以上説明したように本実施形態に係る２度書き込みの例によれば、右目用画像Ｒと左目用画像Ｌが混ざるクロストークの発生を確実に抑えることが可能となる。」
　
（２）判断
ア　上記（１）の発明の詳細な説明の記載によれば、本願発明の発明特定事項である「前記２回以上連続する前記右目用画像又は前記左目用画像のうち先に前記表示パネルに表示された画像の輝度に基づいて後に前記表示パネルに表示される画像の輝度を補正する輝度補正部」に関して、「オーバードライブ処理などの調整に起因して相違するものであってもよい。オーバードライブ等の処理としては、例えば、２回目の書き込みにおいて実際の信号レベルと１回目の映像信号レベル（ドライブ量）との比較を行い、１回目の書き込みでは到達しなかった輝度値の補正を行う処理が挙げられる。」と説明している。
イ　ここで、本願の発明の詳細な説明には、「オーバードライブ」の処理について説明されていないので、当該技術分野における技術常識を参酌すると、「オーバードライブ」の処理は、液晶等の応答速度が遅い表示装置において、一時的に高い信号レベルまたは低い信号レベルを印加することにより、液晶等を加速度的に動かし、入力画像に応じた輝度となるように表示する技術である（例えば、特開２００９−１５０５９号公報の【０００５】、特開２００９−１４７４７号公報の【００１１】、特開２００７−１１２８５号公報の【０００７】を参照。）。そして、画像を表示する液晶等の表示装置は、マトリクス状に配置された複数の画素のそれぞれに信号を印加するものである（例えば、上記（１）アの「【００２９】…ゲートドライバ１２８およびデータドライバ１３０は、タイミング制御部１２６で生成されたパルス信号を受け、入力された信号に基づいて液晶表示パネル１３２の各画素を発光させる。」との記載等を参照。）ことを踏まえると、上記オーバードライブの処理は、複数の画素のそれぞれに印加される信号に対してなされるものである。
ウ　また、本願の発明の詳細な説明に記載された「実際の信号レベル」、「１回目の映像信号レベル（ドライブ量）」は、必ずしも明確ではないが、平成２６年６月２０日付け拒絶理由通知に応答する平成２６年８月２２日付け意見書によれば、それぞれ、「液晶表示パネル１３２に実際に表示された輝度に相当する信号レベル」、「液晶表示パネル１３２に表示させるための指示値（ドライブ量）の信号レベル」を意味するものと解される。
エ　上記イ、ウを踏まえて検討する。
　発明の詳細な説明に記載された「２回目の書き込みにおいて実際の信号レベルと１回目の映像信号レベル（ドライブ量）との比較を行い、１回目の書き込みでは到達しなかった輝度値の補正を行う」とは、「実際の信号レベル」すなわち「液晶表示パネル１３２に実際に表示された輝度に相当する信号レベル」と、「１回目の映像信号レベル（ドライブ量）」すなわち「液晶表示パネル１３２に表示させるための指示値（ドライブ量）の信号レベル」との比較を複数の画素毎に行い、２回目の書き込みにおいては、一時的に高い信号レベルまたは低い信号レベルを複数の画素のそれぞれに印加して、「液晶表示パネル１３２に表示させるための指示値（ドライブ量）の信号レベル」の輝度を表示するものと解される。
　そうすると、オーバードライブの処理を行うには「実際の信号レベル」すなわち「液晶表示パネル１３２に実際に表示された輝度に相当する信号レベル」を複数の画素毎に取得する必要があるところ、発明の詳細な説明には、どの様にして取得するのか具体的に取得する手段が記載されていない。また、マトリクス状に配置された各画素の輝度に相当する信号レベルを取得する手段は、技術常識を参酌しても当業者は理解することができない。
　したがって、本願の発明の詳細な説明は、当業者が実施をすることができる程度に明確且つ十分に記載したものと認めることはできない。
　
（３）請求人の主張に対して
　請求人は、平成２６年１２月１５日付け意見書において、「本願明細書の段落［００４５］における『実際の信号レベル』とは、実際に表示された輝度に相当する信号レベルであり、本願の図２に示されるデータドライバ１３０に入力される映像信号レベルに相当します。一方、段落［００４５］における『１回目の映像信号レベル（ドライブ量）』は、液晶表示パネル１３２に表示させるための指示値（ドライブ量）であり、本願の図２に示される左右映像信号制御部１２０に入力される左右映像信号のレベルに相当します。ここで、データドライバ１３０に入力される映像信号レベルに基づいて、実際に表示された輝度に相当する信号レベルを検知できることは当業者において自明であるものと思料致します。」と説明する。
　しかしながら、データドライバ１３０に入力される映像信号レベルは、データドライバ１３０が液晶表示パネル１３２に表示させるための信号レベルであるから、該信号レベルが液晶表示パネルに表示された輝度に相当する信号レベルである旨の請求人の上記説明は、当業者が理解できないものである。そして、「データドライバ１３０に入力される映像信号レベル」と「左右映像信号制御部１２０に入力される左右映像信号のレベル」を比較したとしても、「１回目の書き込みでは到達しなかった輝度値」等が求まるものではない。
　したがって、請求人の上記説明を参酌しても、本願の発明の詳細な説明は、当業者が実施をすることができる程度に明確且つ十分に記載したものと認めることはできない。
　
（４）小括
　以上のとおり、本願の発明の詳細な説明は、請求項１に係る発明特定事項のうち、「前記２回以上連続する前記右目用画像又は前記左目用画像のうち先に前記表示パネルに表示された画像の輝度に基づいて後に前記表示パネルに表示される画像の輝度を補正する輝度補正部」について、当業者が実施することができる程度に明確且つ十分に記載したものでない。
　
４　むすび
　したがって、本願の発明の詳細な説明の記載は、特許法第３６条第４項第１号に規定する要件を満たしていない。 
　よって，結論のとおり審決する。